(57)【要約】【課題】簡便で使い勝手がよいと共に、自由度が非常に高く、室内の美観を損なうことなく使用するこができる室内物干し構造を提供することを目的とする。【解決手段】外竿２Ａの内部に内竿２Ｂが挿嵌されて伸縮自在とされると共に外竿２Ａ及び内竿２Ｂの互いに相反する端部に係合部２Ｃ及び２Ｄが形成された物干し竿２を、収納時には短縮した状態の物干し竿２の係合部２Ｃを係合部材３Ａに係合して位置させ、使用時には伸張した状態の物干し竿２の係合部２Ｃを係合部材３Ａに、係合部２Ｄを係合部材３Ｂに、各々係合させるようにした。よってすぐさま使用状態にすることができるから簡便で使い勝手がよいと共に、室内の壁面に設ける係合部材３Ｂの取付位置でどのようにも物干し竿２を位置させることができるので自由度が非常に高く、また、必要ないときには邪魔にならない位置に収納できるから室内の美観を損なうことなく使用するこができる。【選択図】　　　　図１
0003098259.tif 000002
【実用新案登録請求の範囲】
【請求項１】
室内で洗濯物や衣類を吊すための室内物干し構造であって、一方の内部に他方が挿嵌されて伸縮自在とされると共に該一方及び他方の互いに相反する端部に係合部が形成された物干し竿と、前記係合部を係合し、室内の壁面に設けた少なくとも２個の係合部材とを備え、収納時には前記物干し竿を短縮した状態として少なくとも一方の前記係合部と係合部材とを係合させ、使用時には前記物干し竿を伸張した状態で一方の前記係合部と係合部材とを係合させると共に、他方の前記係合部と他の係合部材とを係合させることを特徴とする室内物干し構造。
【考案の詳細な説明】
【０００１】
【考案の属する技術分野】
本考案は、簡便で使い勝手がよいと共に、自由度が非常に高く、室内の美観を損なうことなく使用することができる室内物干し構造に関するものである。
【０００２】
【従来の技術】
洗濯物を干すための物干し竿は、本来は軒下のような屋外で使うものであるが、昨今では、満足に物干し竿を置く庭や軒下が存在しないといった住宅事情がある。そして、特に女性などは下着等を屋外に干すと盗まれたり、一人暮らし等の女性のマンションなどでは、女性が暮らしているといった状況も把握されてしまうといった問題がある。さらに、日本では特に梅雨の季節になると、外で洗濯物を干すことができなくなってしまうし、一人暮らし等の場合には外出時に雨が降りそうなときには洗濯物を出しっぱなしにしておけないといった問題もある。
【０００３】
上記の問題を解決しようとすると、例えば電気乾燥機などを購入して乾かすことも考えられるが、その場合には電気乾燥機を高額で購入しなければならない。そこで、室内で干すことが考えられる。室内ではハンガーをカーテンレールに掛けるとか、長押にハンガーを掛けるなどといったことで対処したり、紐を壁面間に吊ったり、壁面間に棒を突っ張ったりして対処していた。
【０００４】
しかし、上記した対処策は、間に合わせであり、絶えず室内に干すために講じられたものというよりは、やむを得ず室内で干すために間に合わせのものを使って講じた策と言える。
【０００５】
そこで、従来では、例えば下記に示す特許文献１のように物干し竿を窓の横の例えばカーテンを束ねて収納するような場所に立てて収納状態とし、物干し竿の下端と壁面とに亘ってヒンジを設けて直立状態の物干し竿を水平に傾倒して使用するもの、あるいは、例えば下記に示す特許文献２のように、物干し竿を使用しないときは室内の天井又は壁面に寄せておき、使用時には機械的に物干し竿を使用する高さまで移動させるもの、が知られている。
【０００６】
【特許文献１】
特開２００１−１１３０９７号公報（請求項１）
【特許文献２】
特開平９−２５３３９２号公報（請求項１）
【０００７】
【考案が解決しようとする課題】
しかしながら、上記した特許文献１は、当該物干し竿を設けた位置でしか使用することができず、また、高さ位置も物干し竿の長さも変更できるものではないため、使用するには不便であった。
【０００８】
また、特許文献２は、複雑な機構が必要となり、また、使用時に機構等が室内に露出することとなり美観を損なうといった問題もある。さらに、装置自体の購入費用や取付費用等も非常に高額となり、結果的に乾燥機を購入するのと差がなくなってしまうといった問題もある。
【０００９】
本考案は上記した問題点に鑑みてなされたものであり、簡便で使い勝手がよいと共に、自由度が非常に高く、室内の美観を損なうことなく使用することができる室内物干し構造を提供することを目的とする。
【００１０】
【課題を解決するための手段】
上記の目的を達成するために、本考案は、一方の内部に他方が挿嵌されて伸縮自在とされると共に該一方及び他方の互いに相反する端部に係合部が形成された物干し竿を、収納時には短縮した状態の物干し竿の一方の係合部を例えば窓の近傍の係合部材に係合して位置させ、使用時には伸張した状態の物干し竿の一方の係合部を上記窓の近傍の係合部材に、他方の係合部を室内の壁面の係合部材に、各々係合させるようにした。
【００１１】
このようにすることで、必要なときには複雑な機構や取り出しを行うことなくすぐさま使用状態にすることができるから簡便で使い勝手がよいと共に、室内の壁面に設ける係合部材の取付位置でどのようにも物干し竿を位置させることができるので自由度が非常に高く、また、必要ないときには邪魔にならない位置に収納できるから室内の美観を損なうことなく使用するこができる。
【００１２】
【考案の実施の形態】
本考案の室内物干し構造は、室内で洗濯物や衣類を吊すための室内物干し構造であって、一方の内部に他方が挿嵌されて伸縮自在とされると共に該一方及び他方の互いに相反する端部に係合部が形成された物干し竿と、前記係合部を係合し、室内の壁面に設けた少なくとも２個の係合部材とを備え、収納時には前記物干し竿を短縮した状態として少なくとも一方の前記係合部と係合部材とを係合させ、使用時には前記物干し竿を伸張した状態で一方の前記係合部と係合部材とを係合させると共に、他方の前記係合部と他の係合部材とを係合させるものである。
【００１３】
上記構成によれば、物干し竿は、一方の内部に他方が挿嵌されて伸縮自在とされ、収納時には嵩張らないように短縮した状態で収納しておき、必要なときに必要な長さだけ伸張させることができる。そして、収納時は、例えば窓のカーテンが束ねられる箇所に上記物干し竿を垂直状に立てておく。
【００１４】
このとき、窓の物干し竿を立てておく箇所における所望の高さ位置に係合部材を取り付ける。この係合部材の位置は、物干し竿の使用時の高さになる。つまり当該係合部材と物干し竿の係合部は、収納時も使用時も特に係合を外さずに使用することもできる。このようにしておくことで、収納状態の物干し竿は、この例ではカーテンを束ねた状態のときには当該カーテンに隠れて目立つことがない。
【００１５】
そして、係合部材は、上記した窓の近傍に設けたものとは別に室内の壁面における所望の箇所に１個以上設ける。このとき、窓の近傍に設けた係合部材と水平な位置であることが望ましいことはいうまでもない。また、他の係合部材は、物干し竿の伸張長さの範囲内において室内レイアウトに応じた位置に１個あるいは所望の個数を設ければよい。
【００１６】
このようにすることで、場所を限定されず、室内における状況に応じて物干し竿を使用状態とすることができる。すなわち窓と平行に物干し竿を使用状態としたり、室内を縦断あるいは横断するように物干し竿を使用状態とすることもでき、さらには、室内のある壁面から隣接する壁面へと斜めに物干し竿を使用状態とすることもできる。
【００１７】
【実施例】
以下に、本考案の実施例について図１〜図７を参照して説明する。
図１及び図２は、本考案の室内物干し構造の設置状況を示す。図３は、本考案の室内物干し構造における物干し竿を示す。図４は、本考案の室内物干し構造におけるカバーを示す。図５は、本考案の室内物干し構造における係合部材を示す。図６は、本考案の室内物干し構造における物干し竿のカバーと固定部とを示す。図７は、本考案の室内物干し構造における物干し竿の使用時におけるカバーの状態を示す。
【００１８】
１は、室内で洗濯物や衣類を吊すための室内物干し構造であり、次の構成とされている。２は、大径とされた外竿２Ａに対して外竿２Ａより小径とされた内竿２Ｂが挿嵌されて伸縮自在とされる物干し竿である。外竿２Ａと内竿２Ｂは、本実施例では例えば断面が各々長円形状とされている。この理由は、円状であると物干し竿２を伸張した際にはどの状態でも等しくしなるが、断面形状を長円状とし、径の大きい方で荷重を受けることで、しなりを小さくすることができるからである。
【００１９】
さらに、例えば本実施例では外竿２Ａの径の小さい方の対向位置には不図示のビームが形成され、内竿２Ｂの同じく径の小さい方の対向位置には前記ビームが案内される不図示の溝が形成されている。これによって、外竿２Ａと内竿２Ｂとは、伸縮が滑らかになると共に、ビームにより全体の強度が増し、しなりを小さくすることができる。
【００２０】
物干し竿２において、外竿２Ａにおける内竿２Ｂとの挿嵌方向とは反対の端部には係合部２Ｃが、内竿２Ｂにおける外竿２Ａへの挿嵌方向とは反対の端部には係合部２Ｄが形成されている。この係合部２Ｃ及び２Ｄは、本実施例においては外竿２Ａと内竿２Ｂにおける径の大きい方と同一平面に孔の開いたリング状とされ、よってこの係合部２Ｃ及び２Ｄを後述する係合部材３に係合させると確実に外竿２Ａと内竿２Ｂにおける径の大きい方で荷重を受けることができる。
【００２１】
３は、上記した物干し竿２の係合部２Ｃ及び２Ｄを係合するための係合部材である。ここで、係合部材３には２種類あり、１つは例えば本実施例では係合部２Ｃを収納時も使用時も外すことなく係合する係合部材３Ａと、もう１つは本実施例では係合部２Ｄを使用時にだけ係合する係合部材３Ｂと、を有する。
【００２２】
本実施例では、係合部材３Ａ及び３Ｂを共にフックとしており、リング状の係合部２Ｃ及び２Ｄを係合する。さらに本実施例では特に係合部材３Ａを図４〜図５のように構成しており、これによって美観に優れたものとすることができる。すなわち、係合部材３Ａには開閉自在のカバー４が設けられる。このカバー４は、その裏面に、係合部材３Ａのフックの上部に形成された球部３Ａａを受ける座部４ａが形成されている。
【００２３】
カバー４は、物干し竿２の使用状態のときには図４（ｂ）の二点鎖線で示すように、物干し竿２によって跳ね上げられる。そして、収納時には図４（ｂ）の実線で示すように係合部材３Ａ及び物干し竿２の係合部２Ｃを覆う。また、本実施例では、物干し竿２を垂直状に立てて収納した態様を説明しようとしているが、このとき、係合部２Ｃと係合部材３Ａは係合しているが、係合部２Ｄは係合していないため、不必要に振れて例えば窓のカーテンの束ねた部位より露出してしまう可能性がある。
【００２４】
従って、本実施例では、係合部材３Ａを設けた位置から垂下した位置に、図１及び図３に示す固定部５を設けている。この固定部５は、物干し竿２の下端側に位置する本実施例では係合部２Ｄの周囲を覆って該係合部２Ｄが振れないようにしているのである。
【００２５】
固定部５へ物干し竿２の係合部２Ｄを収納するには、一旦、物干し竿２の係合部２Ｄを上方へ上げて、その後に、固定部５へ物干し竿２の係合部２Ｄを位置させ、前記で上方へ上げた分だけ物干し竿２の係合部２Ｄを下方へ戻せばよい。このようにすることで、収納状態の物干し竿２が振れてカーテンの束ねた部位より露出することなく、正しく収納しておくことができる。
【００２６】
係合部材３Ｂは上述したように係合部２Ｄを係合するようにしているが、この取付部位は、室内において物干し竿２の伸張長さ範囲内であれば特に限定しない。すなわち、図１では、係合部材３Ａを設けた高さ位置と水平になるように、物干し竿２の伸張長さ範囲内で、係合部材３Ａを設けた壁面と隣接する壁面に設けたり、対向する壁面に選択的にあるいはこれら全ての位置に設けてもよい。
【００２７】
さらには、物干し竿２の伸張長さ範囲内で同じ壁面に対して複数の係合部材３Ｂを設けてもよい。これは、係合部材３Ａと同じ壁面に係合部材３Ｂを設けてもよいし、ある係合部材３Ｂを設けた壁面においてさらに複数の係合部材３Ｂを設けてもよいことを意味する。
【００２８】
上記構成の室内物干し構造１は、本実施例では物干し竿２を収納しているときは、窓においてカーテンを束ねた箇所に、図３に示すように外竿２Ａと内竿２Ｂとが挿嵌して短縮されて垂直状とされ、また、係合部２Ｃが係合部材３Ａと係合し、係合部２Ｄが固定部５で固定されている。なお、この状態の係合部２Ｃ及び２Ｄを図６に拡大して示している。
【００２９】
そして、この状態から、物干し竿２を使用するときには、物干し竿２全体を若干上方へ移動させて固定部５から係合部２Ｃを外し、そのうえで必要な長さだけ物干し竿２を伸張して所望の係合部材３Ｂへ係合部２Ｄを係合する。
【００３０】
次に、他の実施例を説明する。例えば係合部材３Ａ及び３Ｂは、同じフック状としながらも壁面から浮いた状態となるように、かつ物干し竿２の外周を受けることができるように形成する。そしてこれら係合部材３Ａ及び３Ｂを同一壁面に水平に取り付ける。
【００３１】
収納状態は、上記した先の実施例のように垂直状としてもよいが、当該実施例では、物干し竿２を水平状にして収納し、かつ使用状態とする。ここで、係合部材３Ａ及び３Ｂを上記したように形成していることで、壁面に近い位置で物干し竿２を係合して保持しながらも、該物干し竿２が壁面から浮いているので壁面を疵付けることなくハンガーを掛けることができる。
【００３２】
また、物干し竿２を伸張して使用する場合は、上記に代えて係合部材３Ｂに物干し竿２を受けさせる。これによって、係合部材３Ａ，３Ｂ間以外で物干し竿２が存在する範囲で洗濯物を干すことができる。もちろんそのときには、係合部材３Ａと係合部２Ｃとの係合を外して係合部材３Ａに物干し竿２を受けさせるようにしてもよく、係合部材３Ａの位置を超えて物干し竿２を伸張させてもよい。
【００３３】
【考案の効果】
以上のように、本考案の室内物干し構造は、一方の内部に他方が挿嵌されて伸縮自在とされると共に該一方及び他方の互いに相反する端部に係合部が形成された物干し竿と、係合部を係合し、室内の壁面に設けた少なくとも２個の係合部材とを備えたので、簡便で使い勝手がよいと共に、収納状態の物干し竿を目立たなくして室内の美観を損なうことなく使用するこができ、場所を限定されず、室内における状況に応じて非常に高い自由度を持って物干し竿を使用状態とすることができる。
【図面の簡単な説明】
【図１】本考案の室内物干し構造を示し、（ａ）は設置状況を、（ｂ）は物干し竿を、各々示す図である。
【図２】本考案の室内物干し構造における他の設置状況を示す図である。
【図３】本考案の室内物干し構造における物干し竿を示し、（ａ）は収納状態の全体を、（ｂ）は（ａ）の一方の拡大状態を、（ｃ）は（ａ）の他方の拡大状態を、各々示す図である。
【図４】本考案の室内物干し構造におけるカバーを示し、（ａ）は上方からの状態を、（ｂ）は側方からの状態を、（ｃ）は前方からの状態を、各々示す図である。
【図５】本考案の室内物干し構造における係合部材を示し、（ａ）は側方からの状態を、（ｂ）は前方からの状態を、（ｃ）は斜めからの状態を、各々示す図である。
【図６】本考案の室内物干し構造における物干し竿のカバーと固定部とを示し、（ａ）は物干し竿の一方の拡大状態を、（ｂ）は物干し竿の他方の拡大状態を、各々示す図である。
【図７】本考案の室内物干し構造における物干し竿の使用時におけるカバーの状態を示す図である。
【符号の説明】
１　室内物干し構造
２　物干し竿
２Ａ　外竿
２Ｂ　内竿
２Ｃ　係合部
２Ｄ　係合部
３　係合部材
３Ａ　係合部材
３Ｂ　係合部材
４　カバー
５　固定部
【図１】
0003098259.tif 000003
【図２】
0003098259.tif 000004
【図３】
0003098259.tif 000005
【図４】
0003098259.tif 000006
【図５】
0003098259.tif 000007
【図６】
0003098259.tif 000008
【図７】
0003098259.tif 000009